(57)【特許請求の範囲】
【請求項１】
下記一般式（３）で表される化合物であるオルガノポリシロキサン化合物。
【化１】
0005160921.tif 000011
［式中、Ｒ1は水素原子又は炭素数１〜１０の１価の炭化水素基、Ｍは下記一般式（１）で表されるウレタン結合含有基、Ｑは下記一般式（４）で表されるアミノ基含有基、ＡはＲ1、Ｍ、Ｑ及び水酸基から選択される基を示し、複数個のＲ1、Ｍ、Ｑ及びＡは同一でも異なっていても良い。ａは０〜５０００の数、ｂは０〜１０００の数、ｃは０〜１０００の数を示し、ｂ／（ｂ＋ｃ）＝０．１〜０．３である。
【化２】
0005160921.tif 000012
（式中、Ｘ及びＹはそれぞれ独立に、炭素数１〜１０の２価の炭化水素基、ｄは０〜１０の数、Ｇは下記一般式（２−１）又は（２−２）で表される基を示す。）
【化３】
0005160921.tif 000013
（式中、Ｒ2は水素原子を示す。）
【化４】
0005160921.tif 000014
（式中、Ｘ、Ｙ及びｄは上記と同じ意味を示す。）］
【請求項２】
主鎖を構成するオルガノポリシロキサンセグメントのケイ素原子の少なくとも一つに、請求項１記載の一般式（４）で表されるアミノ基含有基が結合してなる化合物（以下アミノ変性オルガノポリシロキサンという）と下記一般式（５）で表される化合物とを反応させる、請求項１記載のオルガノポリシロキサン化合物の製造方法。
【化５】
0005160921.tif 000015
（式中、Ｒ2は水素原子を示す。）
【請求項３】
アミノ変性オルガノポリシロキサンが、下記一般式（６）で表される化合物である請求項２記載の製造方法。
【化６】
0005160921.tif 000016
（式中、Ｒ1、Ｑ及びａは請求項１と同じ意味を示し、ＢはＲ1、Ｑ及び水酸基から選択される基を示し、複数個のＲ1、Ｑ及びＢは同一でも異なっていても良い。ｅは０〜２０００の数を示し、ｅが０のときＢの少なくとも一方はＱを示す。）
【請求項４】
請求項１記載のオルガノポリシロキサン化合物、あるいは請求項２又は３いずれかに記載の製造方法により製造されたオルガノポリシロキサン化合物を含有する、化粧料。
【請求項５】
毛髪化粧料である、請求項４記載の化粧料。
【発明の詳細な説明】
【技術分野】
【０００１】
本発明は、新規なオルガノポリシロキサン化合物、より具体的にはウレタン結合含有基を有するオルガノポリシロキサン化合物、その製造方法及びそれを含有する化粧料に関する。
【背景技術】
【０００２】
従来から繊維、毛髪、肌などの表面に撥水性や潤滑性を付与したり、表面を保護するための基材としてシリコーン化合物が用いられてきた。中でもアミノ変性シリコーンは、分子内にアミノ基を有することにより、各種表面に対する吸着性が良好で、特に毛髪への柔軟性付与効果にも優れていることが知られている（特許文献１及び２等）。
【特許文献１】特開平０９−１１０６５３号公報
【特許文献２】特開平０１−１９０６１９号公報
【発明の開示】
【発明が解決しようとする課題】
【０００３】
前記アミノ変性シリコーンは、コンディショニング効果が不十分であるだけでなくシャンプー処理により容易に洗い落とされ、効果の持続性に劣るという問題があった。また、アミノ変性シリコーンの持つ風合いが好まれなくなりつつあり、近年、技術の発達に伴い、更に吸着力・持続性に優れ、毛髪等に滑らかな感触を付与する基材の開発が強く要求されている。
【０００４】
本発明の課題は、毛髪等に十分なしっとり感、滑らかさ等のコンディショニング効果を付与し、更にその効果の持続性を改善しうるオルガノポリシロキサン化合物及びそれを含有する化粧料を提供することにある。
【課題を解決するための手段】
【０００５】
本発明は、主鎖を構成するオルガノポリシロキサンセグメントのケイ素原子の少なくとも一つに、下記一般式（１）で表されるウレタン結合含有基（以下ウレタン結合含有基（１）という）が結合してなる、オルガノポリシロキサン化合物、その製造法、並びにこのオルガノポリシロキサン化合物を含有する化粧料を提供する。
【０００６】
【化７】
0005160921.tif 000002
【０００７】
［式中、Ｘ及びＹはそれぞれ独立に、炭素数１〜１０の２価の炭化水素基、ｄは０〜１０の数、Ｇは下記一般式（２−１）又は（２−２）で表される基を示す。
【０００８】
【化８】
0005160921.tif 000003
【０００９】
但し、Ｒ2は水素原子又は炭素数１〜３の１価の炭化水素基を示し、複数個のＲ2は同一でも異なっていても良い。］
【発明の効果】
【００１０】
本発明により、毛髪などにしっとり感、滑らかさ等のコンディショニング効果を付与し、更にその効果の持続性に優れる新規オルガノポリシロキサン化合物を提供することができ、また毛髪などに十分なしっとり感、滑らかさ等のコンディショニング効果を付与し、更にその効果の持続性を改善した化粧料を提供することができる。また、本発明の製造方法によれば、反応触媒や精製を必要とせず、副生成物等もなく高収率で容易に新規オルガノポリシロキサン化合物を合成することができる。
【発明を実施するための最良の形態】
【００１１】
［オルガノポリシロキサン化合物］
本発明のオルガノポリシロキサン化合物は、主鎖を構成するオルガノポリシロキサンセグメントのケイ素原子の少なくとも一つにウレタン結合含有基（１）が結合してなるものである。
【００１２】
主鎖を構成するオルガノポリシロキサンセグメントは、特に限定されず、直鎖状でも分岐鎖を有するものでも良いが、直鎖状のものが好ましい。
【００１３】
ウレタン結合含有基（１）において、Ｘ及びＹで示される炭素数１〜１０の２価の炭化水素基としては、炭素数１〜１０の直鎖又は分岐鎖の２価脂肪族炭化水素基又は炭素数５〜１０の２価芳香族炭化水素基が好ましく、炭素数１〜１０、更に２〜６のアルキレン基又はフェニレン基がより好ましく、エチレン基、トリメチレン基、プロピレン基、ブチレン基、ヘキサメチレン基、又はフェニレン基が更に好ましい。ｄは０〜１０の数を示すが、０〜３の数が好ましい。Ｇは前記一般式（２−１）又は（２−２）で表される基を示し、一般式（２−１）及び（２−２）中のＲ2は水素原子又は炭素数１〜３の１価の炭化水素基を示すが、炭素数１〜３の１価の炭化水素基としては、メチル基、エチル基、プロピル基等の炭素数１〜３の直鎖又は分岐鎖の１価脂肪族炭化水素基が挙げられる。Ｒ2は、水素原子、炭素数１〜３のアルキル基が好ましく、水素原子、メチル基、エチル基、プロピル基がより好ましく、水素原子が更に好ましい。
【００１４】
ウレタン結合含有基（１）は、オルガノポリシロキサンセグメントのケイ素原子の少なくとも一つに結合するが、オルガノポリシロキサンセグメントの末端及び内部のいずれの位置に結合しても良い。
【００１５】
本発明のオルガノポリシロキサン化合物としては、一般式（３）で表される化合物（以下化合物（３）という）が挙げられる。
【００１６】
【化９】
0005160921.tif 000004
【００１７】
［式中、Ｒ1は水素原子又は炭素数１〜１０の１価の炭化水素基、Ｍはウレタン結合含有基（１）、Ｑは下記一般式（４）で表されるアミノ基含有基（以下アミノ基含有基（４）という）、ＡはＲ1、Ｍ、Ｑ及び水酸基から選択される基を示し、複数個のＲ1、Ｍ、Ｑ及びＡは同一でも異なっていても良い。ａは０〜５０００の数、ｂは０〜１０００の数、ｃは０〜１０００の数を示し、ｂが０のときＡの少なくとも一方はＭを示す。
【００１８】
【化１０】
0005160921.tif 000005
【００１９】
（式中、Ｘ、Ｙ及びｄは前記と同じ意味を示す。）］
本発明の化合物（３）において、Ｒ1は水素原子又は炭素数１〜１０の１価の炭化水素基を示すが、炭素数１〜１０の１価の炭化水素基としては、メチル基、エチル基、プロピル基、ブチル基、ヘキシル基、デシル基等の炭素数１〜１０の直鎖又は分岐鎖の１価脂肪族炭化水素基、フェニル基等の炭素数５〜１０の１価芳香族炭化水素基、シクロヘキシル基等の炭素数３〜１０の１価脂環族炭化水素基が挙げられる。Ｒ1は、製造のし易さからメチル基及びフェニル基が好ましく、さらに毛髪化粧料等の化粧料に配合した場合のコンディショニング性能を効果的に発揮させる観点から、主にメチル基であることがより好ましい。
【００２０】
Ｍはウレタン結合含有基（１）を示す。Ｑはアミノ基含有基（４）を示すが、式（４）中のＸ、Ｙ及びｄとしては、ウレタン結合含有基（１）中のＸ、Ｙ及びｄとして例示したものが好ましい。
【００２１】
アミノ基含有基（４）の好ましい例としては下記のものが挙げられる。
【００２２】
−Ｃ3Ｈ6−ＮＨ2、
−Ｃ3Ｈ6−ＮＨ−Ｃ2Ｈ4−ＮＨ2、
−Ｃ3Ｈ6−ＮＨ−（Ｃ2Ｈ4−ＮＨ）2−Ｈ、
−Ｃ3Ｈ6−ＮＨ−（Ｃ2Ｈ4−ＮＨ）3−Ｈ。
【００２３】
ＡはＲ1、Ｍ、Ｑ及び水酸基から選択される基を示すが、ｂが０のときＡの少なくとも一方はＭである。
【００２４】
ａは０〜５０００の数を示し、２０〜４０００の数が好ましく、５０〜２０００の数がより好ましい。ｂは０〜１０００の数を示すが、０〜５００の数が好ましく、０〜１００の数がより好ましい。ｃは０〜１０００の数を示すが、０〜５００の数が好ましく、０〜１００の数がより好ましい。更に、ａ＋ｂ＋ｃ＞１であることが好ましい。ｂ／（ｂ＋ｃ）の比は、０．１〜１が好ましく、０．２〜１がより好ましく、０．２〜０．８が更に好ましい。
【００２５】
本発明のオルガノポリシロキサン化合物は、化粧料、特に、毛髪化粧料のコンディショニング剤や、ヘアセット剤、ヘアフォーム剤、ヘアスプレー剤等として有用である。
【００２６】
［オルガノポリシロキサン化合物の製造方法］
本発明のオルガノポリシロキサン化合物は、主鎖を構成するオルガノポリシロキサンセグメントのケイ素原子の少なくとも一つにアミノ基含有基（４）が結合してなる化合物（以下アミノ変性オルガノポリシロキサンという）と下記一般式（５）で表される化合物（以下化合物（５）という）を反応させることにより製造することができる。
【００２７】
【化１１】
0005160921.tif 000006
【００２８】
（式中、Ｒ2は前記と同じ意味を示し、複数個のＲ2は同一でも異なっていても良い。）
アミノ変性オルガノポリシロキサンとしては、下記一般式（６）で表される化合物（以下化合物（６）という）が挙げられる。
【００２９】
【化１２】
0005160921.tif 000007
【００３０】
（式中、Ｒ1、Ｑ及びａは、前記と同じ意味を示し、ＢはＲ1、Ｑ及び水酸基から選択される基を示し、複数個のＲ1、Ｑ及びＢは同一でも異なっていても良い。ｅは０〜２０００の数、好ましくは０〜１０００の数、より好ましくは０〜２００の数を示し、ｅが０のときＢの少なくとも一方はＱを示す。）
化合物（６）の具体例としては、市販品として容易に入手が可能なアミノ変性シリコーンであるＫＦ−８００３、ＫＦ−８００８、ＫＦ−８６４（以上全て信越化学工業（株）製）、ＢＹ−１６−２０３、ＢＹ−１６−８５０、ＢＹ−１６−２１３（以上すべて東レ・ダウコーニング（株）製）などが挙げられる。
【００３１】
化合物（５）としては、下記式（５−１）で表される化合物が好ましく、全てのＲ2が水素原子であるグリセリンカーボネートがより好ましい。
【００３２】
【化１３】
0005160921.tif 000008
【００３３】
アミノ変性オルガノポリシロキサンと化合物（５）との反応は、無触媒でも速やかに且つ定量的に反応が進行するため、化合物（５）を、アミノ変性オルガノポリシロキサンのアミノ基に対して過剰に加える必要はない。そのため、反応後の精製工程も不要である。また、化合物（５）の量がアミノ変性オルガノポリシロキサンのアミノ基に対して不足している場合には、アミノ変性オルガノポリシロキサン中のアミノ基の一部が反応せず残存するが、アミノ基自体は毛髪等への良好な吸着性、柔軟性を付与する官能基であるため、要求されるコンディショニング性能により、仕込み量を調整し、本発明のオルガノポリシロキサン化合物中にアミノ基含有基（４）を選択的に残存させてもよい。
【００３４】
アミノ変性オルガノポリシロキサンと化合物（５）の反応時には溶媒を使用することが望ましい。溶媒としては、アミノ変性オルガノポリシロキサン及び化合物（５）の両者に相溶すると共に、アミノ変性オルガノポリシロキサン及び化合物（５）と反応しないものであれば特に制限されることはない。このような溶媒の中でも、特にエタノール、イソプロパノール等のアルコール類、メチルエチルケトン、酢酸エチル、トルエンなどが好ましい例として挙げられる。
【００３５】
アミノ変性オルガノポリシロキサンと化合物（５）の反応においては特に触媒を必要とせず、また、反応温度は、反応の進行を速め、またアミノ変性オルガノポリシロキサンの分解を抑制する観点から、６０〜１００℃が好ましい。この条件であれば５〜８時間で十分に反応を完結させることが可能である。反応後は、溶媒を蒸留除去して目的物を取り出すことも可能であるが、そのままあるいはさらに溶剤で希釈して、化粧料等に使用しても良い。
【００３６】
［化粧料］
本発明の化粧料は、本発明のオルガノポリシロキサン化合物を含有し、前記製造方法により製造されたオルガノポリシロキサン化合物をそのまま含有してもよい。
【００３７】
本発明の化粧料としては、毛髪化粧料が好ましい。毛髪化粧料中の、本発明のオルガノポリシロキサン化合物の含有量は、良好なコンディショニング効果とその持続性を得る観点から、０．１〜２０質量％（以下、単に％で示す）が好ましく、１〜１０％がより好ましく、１〜５％が更に好ましい。
【００３８】
本発明の毛髪化粧料には、更に油剤、特に毛髪に対してコンディショニング作用を有する油剤を配合してもよい。油剤としては、例えば炭素数１２〜３０の飽和又は不飽和アルコール；前記アルコールと多価アルコールとのエーテル；前記アルコールと炭素数１〜１１の脂肪酸とのエステル；炭素数１２〜３０の飽和又は不飽和脂肪酸；前記脂肪酸と一価又は多価アルコールとのエステル；前記脂肪酸とアミンとのアミド；ステロール；スクアレン；リン脂質；糖脂質；動物性油脂；植物性油脂；ジメチルポリシロキサン、メチルポリシロキサン、ポリシロキサン、アルキル変性シリコーン、メチルフェニルポリシロキサン、ポリエーテル変性シリコーンから選ばれる１種以上のシリコーン等が挙げられる。
【００３９】
これら油剤の毛髪化粧料への配合量は、好ましくは０．０１〜３０％、より好ましくは１〜２５％、更に好ましくは３〜２０％である。
【００４０】
更に、本発明の毛髪化粧料には本発明の効果を損なわない範囲で、必要に応じてヒドロキシエチルセルロース等の増粘剤、界面活性剤、アニオン性・両性・カチオン性・非イオン性重合物、香料、パール化剤、毛髪セット用ポリマー、色素、紫外線吸収剤、酸化防止剤、防腐剤等を配合してもよい。
【００４１】
界面活性剤としては、通常の毛髪化粧料に用いられるものであれば特に制限されず、アニオン性界面活性剤、非イオン性界面活性剤、両性界面活性剤、カチオン性界面活性剤のいずれをも好適に使用することができる。
【００４２】
具体的には、アニオン性界面活性剤としては、例えば以下に示すものが挙げられる。
（Ｂ−ｉ）アルキルベンゼンスルホン酸塩、好ましくは平均炭素数１０〜１６のアルキル基を有する直鎖又は分岐鎖のアルキルベンゼンスルホン酸塩。
（Ｂ−ii）アルキルエーテル硫酸塩又はアルケニルエーテル硫酸塩、好ましくは平均炭素数１０〜２０の直鎖又は分岐鎖のアルキル基又はアルケニル基を有し、１分子内に平均０．５〜８モルのエチレンオキサイド、プロピレンオキサイド、ブチレンオキサイド、エチレンオキサイドとプロピレンオキサイドが０．１／９．９〜９．９／０．１のモル比で、あるいはエチレンオキサイドとブチレンオキサイドが０．１／９．９〜９．９／０．１のモル比で付加したアルキルエーテル硫酸塩又はアルケニルエーテル硫酸塩。
（Ｂ−iii）アルキル硫酸塩又はアルケニル硫酸塩、好ましくは平均炭素数１０〜２０のアルキル基又はアルケニル基を有するアルキル硫酸塩又はアルケニル硫酸塩。
（Ｂ−iv）オレフィンスルホン酸塩、好ましくは平均１０〜２０の炭素原子を１分子中に有するオレフィンスルホン酸塩。
（Ｂ−ｖ）アルカンスルホン酸塩、好ましくは平均１０〜２０の炭素原子を１分子中に有するアルカンスルホン酸塩。
（Ｂ−vi）高級脂肪酸塩、好ましくは平均１０〜２４の炭素原子を１分子中に有する飽和又は不飽和脂肪酸塩。
（Ｂ−vii）（アミド）エーテルカルボン酸型界面活性剤。
（Ｂ−viii）α−スルホ脂肪酸塩又はエステル、好ましくは平均１０〜２０の炭素原子から成るアルキル基又はアルケニル基を有するα−スルホ脂肪酸塩又はエステル。
（Ｂ−ix）Ｎ−アシルアミノ酸型界面活性剤、好ましくは炭素数８〜２４のアシル基及び遊離カルボン酸残基を有するＮ−アシルアミノ酸型界面活性剤（例えばＮ−アシルザルコシネート、Ｎ−アシル−β−アラニン等）。
（Ｂ−ｘ）リン酸エステル型界面活性剤、好ましくは炭素数８〜２４のアルキル基もしくはアルケニル基又はそれらのアルキレンオキサイド付加物を有するリン酸モノ又はジエステル型界面活性剤。
（Ｂ−xi）スルホコハク酸エステル型界面活性剤、好ましくは炭素数８〜２２の高級アルコールもしくはそのエトキシレート等のスルホコハク酸エステル又は高級脂肪酸アミド由来のスルホコハク酸エステル。
（Ｂ−xii）ポリオキシアルキレン脂肪酸アミドエーテル硫酸塩、好ましくは炭素数８〜２４の直鎖又は分岐鎖の飽和又は不飽和の脂肪酸モノエタノールアミド又はジエタノールアミドのエトキシレート等の硫酸塩。
（Ｂ−xiii）モノグリセライド硫酸エステル塩、好ましくは炭素数８〜２４の直鎖又は分岐鎖の飽和又は不飽和の脂肪酸基を有するモノグリセライド硫酸エステル塩。
（Ｂ−xiv）アシル化イセチオン酸塩、好ましくは炭素数８〜２４の直鎖又は分岐鎖の飽和又は不飽和の脂肪酸基を有するアシル化イセチオン酸塩。
（Ｂ−xv）アルキルグリセリルエーテル硫酸塩又はアルキルグリセリルエーテルスルホン酸塩、好ましくは炭素数８〜２４の直鎖もしくは分岐鎖のアルキル基もくしはアルケニル基もしくはそれらのアルキレンオキサイド付加物を有するアルキルグリセリルエーテル硫酸塩又はアルキルグリセリルエーテルスルホン酸塩。
（Ｂ−xvi）アルキル又はアルケニルアミドスルホネート、好ましくは炭素数８〜２４の直鎖又は分岐鎖のアルキル基又はアルケニル基を有するアルキル又はアルケニルアミドスルホネート。
（Ｂ−xvii）アルカノールアミドスルホコハク酸塩、好ましくは炭素数８〜２４の直鎖又は分岐鎖のアルキル基又はアルケニル基を有するアルカノールアミドスルホコハク酸塩。
（Ｂ−xviii）アルキルスルホアセテート、好ましくは炭素数８〜２４の直鎖又は分岐鎖のアルキル基又はアルケニル基を有するアルキルスルホアセテート。
（Ｂ−xix）アシル化タウレート、好ましくは炭素数８〜２４の直鎖又は分岐鎖の飽和又は不飽和の脂肪酸基を有するアシルタウレート。
（Ｂ−xx）Ｎ−アシル−Ｎ−カルボキシエチルグリシン塩、好ましくは炭素数６〜２４のアシル基を有するＮ−アシル−Ｎ−カルボキシエチルグリシン塩。
【００４３】
これらのアニオン性界面活性剤の塩、すなわちアニオン性残基の対イオンとしては、ナトリウム、カリウム等のアルカリ金属イオン、カルシウム、マグネシウム等のアルカリ土類金属イオン、アンモニウムイオン、炭素数２又は３のアルカノール基を１〜３個有するアルカノールアミン（例えばモノエタノールアミン、ジエタノールアミン、トリエタノールアミン、トリイソプロパノールアミン等）を挙げることができる。
【００４４】
これらのアニオン性界面活性剤のうち、アルキルエーテル硫酸塩、特にポリオキシエチレンアルキルエーテル硫酸塩が好ましい。
【００４５】
非イオン性界面活性剤としては、例えば平均炭素数１０〜２４の直鎖又は分岐鎖のアルキル基又はアルケニル基を有し、エチレンオキサイド、プロピレンオキサイド又はブチレンオキサイドを付加したポリオキシアルキレンアルキルエーテル又はポリオキシアルキレンアルケニルエーテル；炭素数８〜２０の脂肪酸のグリセリンエステル；炭素数８〜２０の脂肪酸のグリコールエステル；炭素数８〜２０の脂肪酸のモノグリセライドのアルキレンオキサイド付加物；炭素数８〜２０の脂肪酸のショ糖エステル；炭素数８〜２０の脂肪酸のソルビタンエステル；炭素数８〜２０のアシル基を有するポリグリセリン脂肪酸エステル；炭素数８〜２０の脂肪酸のモノエタノールアミド又はジエタノールアミド又はそれらのエトキシレート；ポリオキシエチレン硬化ヒマシ油；炭素数８〜２０のアシル基を有するポリオキシアルキレンソルビタン脂肪酸エステル；炭素数８〜２０のアシル基を有するポリオキシエチレンソルビット脂肪酸エステル；炭素数８〜１８の直鎖又は分岐鎖のアルキル基、アルケニル基又はアルキルフェニル基を有するアルキルサッカライド系界面活性剤；炭素数８〜２０の直鎖又は分岐鎖のアルキル基、アルケニル基を有するアルキルアミンオキサイド又はアルキルアミドアミンオキサイド；炭素数８〜２０の直鎖又は分岐鎖のアルキル基又はアルケニル基を有する多価アルコールのエーテル化合物又はエステル化合物；シロキサン誘導体（特開平４−１０８７９５号公報）、ポリオキシ変性シリコーン等のシリコーン系界面活性剤；ポリオキシアルキレンアルキルアリールエーテル、ポリオキシアルキレンラノリンアルコール、ポリオキシアルキレン脂肪酸エステル、プルロニック型ブロックポリマー、テトロニック型ブロックポリマー、ポリオキシアルキレン脂肪酸アミド、ポリオキシアルキレンアルキルアミド、ポリエチレンイミン誘導体等が挙げられる。
【００４６】
また、両性界面活性剤としては、通常の毛髪化粧料に用いられるものであれば特に制限されず、例えば、アミドアミノ酸型、カルボベタイン型、アミドベタイン型、スルホベタイン型、アミドスルホベタイン型、イミダゾリニウムベタイン型、アミノ酸型、ホスホベタイン型、リン酸エステル型等が挙げられる。
【００４７】
カチオン性界面活性剤としては、第３級アミン、第４級アンモニウム塩、アミドアミン、エステルアミン等が挙げられる。例えばベヘニルトリメチルアンモニウムクロライド、ジステアリルジメチルアンモニウムクロライド、セチルトリメチルアンモニウムクロライド、ステアリルトリメチルアンモニウムクロライド、ラウリルトリメチルアンモニウムクロライド、Ｎ−ステアリル−Ｎ，Ｎ，Ｎ−トリ（ポリオキシエチレン）アンモニウムクロライド（エチレンオキサイド合計３モル付加）、セチルベンジルジメチルアンモニウムクロライド、セチルトリエチルアンモニウムブロマイド、ジステアリルジメチルアンモニウムクロライド等のほか、２−デシルテトラデシルトリメチルアンモニウムクロライド、２−ドデシルヘキサデシルトリメチルアンモニウムクロライド、ジ−２−ヘキシルデシルジメチルアンモニウムクロライド、ジ−２−オクチルドデシルジメチルアンモニウムクロライド、ベヘニル第３級アミン、ステアリル第３級アミン、ステアラミドプロピルジメチルアミン等を挙げることができる。
【００４８】
界面活性剤は、１種又は２種以上を用いることができ、毛髪化粧料中に０．１〜５０％配合するのが好ましく、更に０．５〜４０％、特に１〜３０％配合すると、起泡性に優れるので好ましい。
【００４９】
本発明の毛髪化粧料の剤型が、ヘアセット剤、ヘアフォーム剤、ヘアスプレー剤等である場合は、以下に例示するものを毛髪セット用ポリマーとして含有することが好ましい。
【００５０】
（１）ポリビニルピロリドン系高分子化合物
・ポリビニルピロリドン；市販品としてルビスコールＫ１２，Ｋ３０（以上、ＢＡＳＦ社製）、ＰＶＰＫ１５，Ｋ３０（以上、ＧＡＦ社製）等が挙げられる。
・ポリビニルピロリドン／酢酸ビニル共重合体；市販品としてルビスコールＶＡ２８，ＶＡ７３（以上、ＢＡＳＦ社製）、ＰＶＰ／ＶＡ Ｅ−７３５，Ｓ−６３０（以上、ＧＡＦ社製）等が挙げられる。
・ポリビニルピロリドン／酢酸ビニル／プロピオン酸ビニル三元共重合体；市販品としてルビスコールＶＡＰ３４３（ＢＡＳＦ社製）等が挙げられる。
・ポリビニルピロリドン／アルキルアミノアクリレート共重合体；市販品としてルビフレックス（ＢＡＳＦ社製）、コポリマー８４５，９３７，９５８（以上、ＧＡＦ社製）等が挙げられる。
・ポリビニルピロリドン／アクリレート／（メタ）アクリル酸共重合体；市販品としてルビフレックスＶＢＭ３５（ＢＡＳＦ社製）等が挙げられる。
・ポリビニルピロリドン／アルキルアミノアクリレート／ビニルカプロラクタム共重合体；市販品としてコポリマーＶＣ−７１３（ＧＡＦ社製）等が挙げられる。
【００５１】
（２）酸性ビニルエーテル系高分子化合物
メチルビニルエーテル／無水マレイン酸アルキルハーフエステル共重合体；市販品としてガントレッツＥＳ−２２５，ＥＳ−４２５，ＳＰ−２１５（以上、ＧＡＦ社製）等が挙げられる。
【００５２】
（３）酸性ポリ酢酸ビニル系高分子化合物
・酢酸ビニル／クロトン酸共重合体；市販品としてレジン２８−１３１０（ナショナル・スターチ社製）、ルビセットＣＡ６６（ＢＡＳＦ社製）等が挙げられる。
・酢酸ビニル／クロトン酸／ネオデカン酸ビニル共重合体；市販品としてレジン２８−２９３０（ナショナル・スターチ社製）等が挙げられる。
・酢酸ビニル／クロトン酸／プロピオン酸ビニル共重合体；市販品としてルビセットＣＡＰ（ＢＡＳＦ社製）等が挙げられる。
・酢酸ビニル／ｔｅｒｔ−ブチル安息香酸ビニル／クロトン酸共重合体；例えば特表平６−５０７６４６号公報に記載されているもの等が挙げられる。
【００５３】
（４）酸性アクリル系高分子化合物
・（メタ）アクリル酸／（メタ）アクリル酸エステル共重合体；市販品としてプラスサイズＬ５３Ｐ（互応化学社製）、ダイヤホールド（三菱化学社製）、アマホールド・ＤＲ−２５（アマコール社製）等が挙げられる。
・アクリル酸／アクリル酸アルキルエステル／アルキルアクリルアミド共重合体；市販品としてウルトラホールド８（ＢＡＳＦ社製）、アンフォマーＶ−４２（ナショナル・スターチ社製）等が挙げられる。
【００５４】
（５）両性アクリル系高分子化合物
・（メタ）アクリルエチルベタイン／（メタ）アクリル酸アルキルエステル共重合体；例えばＮ−メタクリロイルオキシエチル−Ｎ，Ｎ−ジメチルアンモニウムα−Ｎ−メチルカルボキシベタインと（メタ）アクリル酸アルキルエステルとの共重合体等が挙げられ、市販品としてはユカフォーマーＭ−７５、ＳＭ（以上、三菱化学社製）等が挙げられる。
・アクリル酸アルキルエステル／メタクリル酸ブチルアミノエチル／アクリル酸オクチルアミド共重合体；例えばオクチルアクリルアミド／アクリレート／ブチルアミノエチルメタクリレートコポリマー等が挙げられ、市販品としてアンフォーマー２８−４９１０（ナショナル・スターチ社製）等が挙げられる。
【００５５】
（６）塩基性アクリル系高分子化合物
アクリルアミド・アクリルエステル系四元共重合体；特開平２−１８０９１１号公報、特開平８−２９１２０６号公報に記載されているもの等が挙げられる。
【００５６】
（７）セルロース骨格を有する化合物
カチオン性セルロース誘導体；市販品としてセルコートＨ−１００，Ｌ−２００（ナショナル・スターチ社製）等が挙げられる。
【００５７】
（８）キチン・キトサン骨格を有する化合物
・ヒドロキシプロピルキトサン；市販品としてキトフィルマー（一丸ファルコス社製）等が挙げられる。
・カルボキシメチルキチン、カルボキシメチルキトサン、キトサンとピロリドンカルボン酸、乳酸、グリコール酸等の一価酸、又はアジピン酸、コハク酸等の二価酸との塩；市販品としては、カイトマーＰＣ（ピロリドンカルボン酸塩）、カイトマーＬ（乳酸塩）（以上、ユニオンカーバイド社製）等が挙げられる。
【００５８】
（９）水分散性ポリエステル
市販品としてＡＱ３８Ｓ、ＡＱＪＩＳ（イーストマン・コダック社製）等が挙げられる。
【００５９】
（１０）ポリ（Ｎ−アシルエチレンイミン）が連結したオルガノポリシロキサン
特公平９−２７１６８３１号公報、特開平７−１３３３５２号公報、特開平５−１１２４２３号公報、特開平３−２８７５０９号公報に記載されているものが挙げられる。
【００６０】
これらの毛髪セット用ポリマーは、１種又は２種以上を用いることができる。毛髪化粧料中の毛髪セット用ポリマーの配合量は、必要かつ十分なセット力を得る観点から、０．１〜１０％が好ましく、０．５〜６％が更に好ましく、１〜４％が特に好ましい。
【００６１】
毛髪化粧料としては、例えば浴室内で用いるようなヘアシャンプー、ヘアトリートメント、ヘアコンディショナーや、浴室外で用いるヘアフォーム、ヘアスプレー、ヘアクリーム、ヘアワックス、ヘアジェル、更には、ヘアダイ、パーマ、ヘアマニキュア、ヘアブリーチ等、家庭や美容室での施術に用いられる剤等が挙げられ、本発明のオルガノポリシロキサン化合物はこれらのいずれにも配合できる。
【実施例】
【００６２】
以下の例における「％」は、特記しない限り「質量％」を意味する。また、以下のアミノ変性シリコーン、ウレタン結合含有オルガノポリシロキサンのアミン価（ｍｇＫＯＨ／ｇ）は過塩素酸滴定法によるアミノ基含量測定により得られた値である。また官能基当量（ｇ／ｍｏｌ）は５６０００／アミン価により算出した値である。
【００６３】
合成例１
２Ｌセパラブルフラスコに、アミノ変性シリコーン（ＫＦ−８００３、信越化学工業（株）製、側鎖アミノ変性タイプ、アミン価２９ｍｇＫＯＨ／ｇ、官能基当量１９３０ｇ／ｍｏｌ、粘度換算分子量およそ３万、一般式（６）で表され、Ｒ1及びＢがメチル基、Ｑが−（ＣＨ2）3−ＮＨ2、ａが３８０、ｅが１５である化合物）を１００ｇ（５１．８ｍｍｏｌ）、グリセリンカーボネートをアミノ変性シリコーンのアミノ基に対し１．０ｍｏｌ当量に相当する量である６．１１ｇ（５１．８ｍｍｏｌ）、エタノールを５００ｇ加えた。セパラブルフラスコに攪拌装置、冷却管をセットし、バス温度を８０℃に設定し、エタノール還流下８時間反応を行った。その後溶剤を減圧留去し、ポリマーを回収した。回収後のポリマー（以下ウレタン結合含有オルガノポリシロキサン１という）は６０℃で減圧乾燥後回収した。このウレタン結合含有オルガノポリシロキサン１のアミン価は１ｍｇＫＯＨ／ｇ以下であった。また赤外線吸収スペクトル（以下ＩＲという）より、１７００ｃｍ-1付近にウレタン基由来のピークを確認した。更に、1H-NMRスペクトル（以下1H-NMRという）より３.０〜４.２ｐｐｍ付近にウレタン基由来のピークを確認した。以上より、原料のアミノ基がグリセリンカーボネートの仕込み量に相当する量消費され、ほぼウレタン結合含有基に置換されたことを確認した。このウレタン結合含有オルガノポリシロキサン１のＩＲを図１に、1H-NMRを図２に示す。
【００６４】
合成例２
アミノ変性シリコーン（ＫＦ−８００３）を１００ｇ（５１．８ｍｍｏｌ）、グリセリンカーボネートをアミノ変性シリコーンのアミノ基に対し０．５ｍｏｌ当量に相当する量である３．０５ｇ（２５．９ｍｍｏｌ）使用した以外は、合成例１と同じ原料及び同様の操作を行って、ウレタン結合含有オルガノポリシロキサン２を得た。このウレタン結合含有オルガノポリシロキサン２のアミン価は１２ｍｇＫＯＨ／ｇであった。またＩＲ、1H-NMRよりウレタン結合含有基由来のピークを確認した。以上より、原料のアミノ基がグリセリンカーボネートの仕込み量に相当する量消費され、全アミノ基のおよそ０．５ｍｏｌ相当がウレタン結合含有基に置換されたことを確認した。このウレタン結合含有オルガノポリシロキサン２のＩＲを図３に、1H-NMRを図４に示す。
【００６５】
合成例３
アミノ変性シリコーン（ＫＦ−８００３）を１００ｇ（５１．８ｍｍｏｌ）、グリセリンカーボネートをアミノ変性シリコーンのアミノ基に対し０．３ｍｏｌ当量に相当する量である１．８３ｇ（１５．４ｍｍｏｌ）使用した以外は、合成例１と同じ原料及び同様の操作を行って、ウレタン結合含有オルガノポリシロキサン３を得た。このウレタン結合含有オルガノポリシロキサン３のアミン価は２０ｍｇＫＯＨ／ｇであった。またＩＲ、1H-NMRよりウレタン結合含有基由来のピークを確認した。以上より、原料のアミノ基がグリセリンカーボネートの仕込み量に相当する量消費され、全アミノ基のおよそ０．３ｍｏｌ相当がウレタン結合含有基に置換されたことを確認した。
【００６６】
合成例４
アミノ変性シリコーン（ＫＦ−８００３）を１００ｇ（５１．８ｍｍｏｌ）、グリセリンカーボネートをアミノ変性シリコーンのアミノ基に対し０．１５ｍｏｌ当量に相当する量である０．９１８ｇ（７．７７ｍｍｏｌ）使用した以外は、合成例１と同じ原料及び同様の操作を行って、ウレタン結合含有オルガノポリシロキサン４を得た。このウレタン結合含有オルガノポリシロキサン４のアミン価は２４ｍｇＫＯＨ／ｇであった。またＩＲ、1H-NMRよりウレタン結合含有基由来のピークを確認した。以上より、原料のアミノ基がグリセリンカーボネートの仕込み量に相当する量消費され、全アミノ基のおよそ０．１５ｍｏｌ相当がウレタン結合含有基に置換されたことを確認した。
【００６７】
合成例５
２Ｌセパラブルフラスコに、アミノ変性シリコーン（ＫＦ−８６４、信越化学工業（株）製、側鎖変性タイプ、アミン価１４ｍｇＫＯＨ／ｇ、官能基当量４０００ｇ／ｍｏｌ、粘度換算分子量およそ３万、一般式（６）で表され、Ｒ1及びＢがメチル基、Ｑが−（ＣＨ2）3−ＮＨ2、ａが３９０、ｅが８である化合物）を１００ｇ（２５．０ｍｍｏｌ）、グリセリンカーボネートをアミノ変性シリコーンのアミノ基に対し１．０ｍｏｌ当量に相当する量である２．９５ｇ（２５．０ｍｍｏｌ）、エタノールを５００ｇ加えた。セパラブルフラスコに攪拌装置、冷却管をセットし、バス温度を８０℃に設定し、エタノール還流下８時間反応を行った。その後溶剤を減圧留去しポリマーを回収した。回収後のポリマー（以下ウレタン結合含有オルガノポリシロキサン５という）は６０℃で減圧乾燥後回収した。このウレタン結合含有オルガノポリシロキサン５のアミン価は１ｍｇＫＯＨ／ｇ以下であった。またＩＲ、1H-NMRよりウレタン基由来のピークを確認した。以上より、原料のアミノ基がグリセリンカーボネートの仕込み量に相当する量消費され、ほぼウレタン結合含有基に置換されたことを確認した。
【００６８】
合成例６
アミノ変性シリコーン（ＫＦ−８６４）を１００ｇ（２５．０ｍｍｏｌ）、グリセリンカーボネートをアミノ変性シリコーンのアミノ基に対し０．５ｍｏｌ当量に相当する量である１．４８ｇ（１２．５ｍｍｏｌ）使用した以外は、合成例５と同じ原料及び同様の操作を行って、ウレタン結合含有オルガノポリシロキサン６を得た。このウレタン結合含有オルガノポリシロキサン６のアミン価は７ｍｇＫＯＨ／ｇであった。またＩＲ、1H-NMRよりウレタン結合含有基由来のピークを確認した。以上より、原料のアミノ基がグリセリンカーボネートの仕込み量に相当する量消費され、全アミノ基のおよそ０．５ｍｏｌ相当がウレタン結合含有基に置換されたことを確認した。
【００６９】
合成例７
２Ｌセパラブルフラスコに、アミノ変性シリコーン（ＫＦ−８００８、信越化学工業（株）製、両末端変性タイプ、アミン価１０ｍｇＫＯＨ／ｇ、官能基当量５６００ｇ／ｍｏｌ、分子量１１２００、一般式（６）で表され、Ｒ1がメチル基、２つのＢが共に−（ＣＨ2）3−ＮＨ2、ａが１５０、ｅが０である化合物）を１００ｇ（１７．９ｍｍｏｌ）、グリセリンカーボネートをアミノ変性シリコーンのアミノ基に対し１．０ｍｏｌ当量に相当する量である２．１１ｇ（１７．９ｍｍｏｌ）、エタノールを５００ｇ加えた。セパラブルフラスコに攪拌装置、冷却管をセットし、バス温度を８０℃に設定し、エタノール還流下８時間反応を行った。その後溶剤を減圧留去しポリマーを回収した。回収後のポリマー（以下ウレタン結合含有オルガノポリシロキサン７という）は６０℃で減圧乾燥後回収した。このウレタン結合含有オルガノポリシロキサン７のアミン価は１ｍｇＫＯＨ／ｇ以下であった。またＩＲ、1H-NMRよりウレタン結合含有基由来のピークを確認した。以上より、原料のアミノ基がグリセリンカーボネートの仕込み量に相当する量消費され、ほぼウレタン結合含有基に置換されたことを確認した。
【００７０】
合成例１〜７で得られたウレタン結合含有オルガノポリシロキサン１〜７をまとめて表１に示す。
【００７１】
【表１】
0005160921.tif 000009
【００７２】
実施例１〜４及び比較例１〜３
（ａ）成分として、合成例２，３，４，６で得られたウレタン結合含有オルガノポリシロキサン２，３，４，６を用い、更に表２に示す（ｂ）〜（ｄ）成分及びその他の成分を用い、常法により、表２に示す組成の本発明のヘアコンディショナーを調製した。また（ａ）成分を含有しないか、あるいは（ａ）成分の代わりに比較のシリコーン化合物を用いる以外は同様にして、表２に示す組成の比較のヘアコンディショナーを調製した。
【００７３】
得られたヘアコンディショナーについて、下記方法で官能評価を行った。結果を表２に示す。
【００７４】
＜官能評価方法＞
市販のブリーチ剤でブリーチ処理を行った日本人女性の毛髪束（２０ｇ、２０ｃｍ）を、パネラー５名が次の方法で処理しながら官能評価を行った。
【００７５】
下記の組成の標準シャンプー３ｇを用いて洗浄した毛髪束に、表２に示すヘアコンディショナーを２ｇ塗付し、毛髪全体に十分に馴染ませた後、およそ３０秒間約４０℃の流水下ですすぎ時の評価を行った。ついで、タオルドライを行い、ドライヤーで乾燥させた後に乾燥後の評価を行った。すすぎ時の髪の滑らかさ、柔らかさ、キシミの無さ、及び乾燥後の髪の滑らかさ、柔らかさ、しっとり感の付与効果の有無について官能評価し、下記の基準で判定した。
【００７６】
・標準シャンプーの処方（ｐＨ７．０）
25％ポリオキシエチレン(2.5)ラウリルエーテル硫酸ナトリウム塩     ６２．０％
ラウリン酸ジエタノールアミド                                      ２．３％
エデト酸二ナトリウム                                              ０．１５％
安息香酸ナトリウム                                                ０．５％
塩化ナトリウム                                                    ０．８％
７５％リン酸                                                        適量
香料、メチルパラベン                                                適量
精製水                                                              残量。
【００７７】
・評価基準
◎：４〜５人が効果あると回答
○：３人が効果あると回答
△：２人が効果あると回答
×：効果あると回答したのは１人または０人
【００７８】
【表２】
0005160921.tif 000010
【００７９】
*1：ＫＨＳ−３（信越化学工業（株）製）
*2：ＫＦ−８００３（信越化学工業（株）製）
*3：ｐＨは、水で２０質量倍に希釈したときの２５℃における値を示す。
【図面の簡単な説明】
【００８０】
【図１】合成例１で得られたウレタン結合含有オルガノポリシロキサン１の赤外線吸収スペクトルである。
【図２】合成例１で得られたウレタン結合含有オルガノポリシロキサン１の1H-NMRスペクトルである。
【図３】合成例２で得られたウレタン結合含有オルガノポリシロキサン２の赤外線吸収スペクトルである。
【図４】合成例２で得られたウレタン結合含有オルガノポリシロキサン２の1H-NMRスペクトルである。
【図１】
0005160921.tif 000017
【図２】
0005160921.tif 000018
【図３】
0005160921.tif 000019
【図４】
0005160921.tif 000020